(57)【要約】【課題】蓄電池の搭載等による装置の大型化を招くことなく、一旦電源の供給が絶たれた状態でも各部の冷却や収納等の後処理を確実に実行させる。【解決手段】装置の使用によって発熱する光源ランプ18と、この光源ランプ18を冷却する冷却ファン(130)と、光源ランプ18からの熱エネルギーを電気エネルギーに変換する熱電モジュール部（70)と、装置の電源非供給時に熱電モジュール部(70)の発生電力によりインジケータ部111(4)と表示部16で電源供給を促す報知を実行する制御部110とを備える。【選択図】      図６
2006235075.tif 000002
【特許請求の範囲】
【請求項１】
装置の使用によって発熱する発熱部材と、
装置の電源供給時に上記発熱部材を冷却する冷却手段と、
上記発熱部材に近接して設けられ、該発熱部材からの熱エネルギーを電気エネルギーに変換する熱電変換素子と、
装置の電源非供給時に上記熱電変換素子の発生する電力により電源供給を促す報知を実行する報知手段と
を具備したことを特徴とする電子装置。
【請求項２】
装置の電源非供給時に上記発熱部材への上記冷却手段による冷却が必要か否かを判断する判断手段と、
この判断手段で上記冷却手段による発熱部材の冷却が必要ではないと判断した場合には上記報知手段による報知を停止させる制御手段と
をさらに具備したことを特徴とする請求項１記載の電子装置。
【請求項３】
装置の使用によって発熱する発熱部材と、
上記発熱部材に近接して設けられ、該発熱部材からの熱エネルギーを電気エネルギーに変換する熱電変換素子と、
供給される電力によりリセット位置から状態を変化させる電動部材と、
装置の電源非供給時に上記熱電変換素子の発生する電力により上記電動部材をリセット位置に復帰させる電源制御手段と
を具備したことを特徴とする電子装置。
【請求項４】
ユーザの手動操作によりリセット位置から状態を変化させる手動部材と、
装置の電源非供給時に上記熱電変換素子の発生する電力により上記手動部材のリセット位置への復帰の手動操作を促す報知を実行する報知手段と
をさらに具備したことを特徴とする請求項３記載の電子装置。
【請求項５】
上記熱電変換素子の上記発熱部材側に設けられ、該発熱部材の発生する熱エネルギーを蓄えて上記熱電変換素子に伝達し続ける蓄熱部材をさらに具備したことを特徴とする請求項１または３記載の電子装置。
【請求項６】
上記熱電変換素子は、上記発熱部材を覆う装置内筐体の少なくとも上面を形成することを特徴とする上記請求項１または３記載の電子装置。
【請求項７】
上記熱電変換素子は、上記装置内筐体の外面側を放熱面として放熱フィンを形成したことを特徴とする請求項６記載の電子装置。
【請求項８】
装置の使用によって発熱する発熱部材と、この発熱部材を冷却するべく設けられた冷却手段とを備えた電子装置の制御方法であって、
上記発熱部材に近接して該発熱部材からの熱エネルギーを電気エネルギーに変換する熱電変換素子を設け、
装置の電源非供給時に上記熱電変換素子の発生する電力により電源供給を促す報知を実行する
ことを特徴とする電子装置の制御方法。
【請求項９】
装置の使用によって発熱する発熱部材と、供給される電力によりリセット位置から状態を変化させる電動部材とを備えた電子装置の制御方法であって、
上記発熱部材に近接して該発熱部材からの熱エネルギーを電気エネルギーに変換する熱電変換素子を設け、
装置の電源非供給時に上記熱電変換素子の発生する電力により上記電動部材をリセット状態に変化させる
ことを特徴とする電子装置の制御方法。
【発明の詳細な説明】
【技術分野】
【０００１】
本発明は、特に高圧水銀灯等の非常に高温となる光源ランプを使用する投影装置等に好適な電子装置及び電子装置の制御方法に関する。
【背景技術】
【０００２】
従来よりプロジェクタ装置では、非常に高温となる高圧水銀灯等の光源ランプの劣化を避けるために、アフタークーリングと称される、投影を完了し、ランプを消灯した後にも冷却ファンを継続して駆動させ、光源ランプを十分冷却する期間が必要であった。
【０００３】
しかしながら、このアフタークーリング中に誤って電源プラグを抜いてしまった場合には、冷却ファンが停止してされてしまうためにランプの冷却を十分に行なうことができず、結果として高価な光源ランプの寿命を縮めてしまうことになる。
【０００４】
このようなアフタークーリングが完了するまでの時間を短縮し、且つアフタークーリング完了前にユーザ等によって電源プラグが引き抜かれた場合でも確実にアフタークーリングを行なう装置として、投影動作中に蓄電する蓄電池を設け、電源プラグが引き抜かれた場合、または電源スイッチがオフ状態に設定された場合には、冷却ファン駆動制御回路は冷却ファンに蓄電池から給電されるように電力供給経路の切替を行ない、冷却ファンの駆動源である直流モータの回転方向を排気ファンとして動作するような方向にする技術が考えられている。（例えば、特許文献１）
【特許文献１】特開２００４−２７９９０８号公報
【発明の開示】
【発明が解決しようとする課題】
【０００５】
しかしながら、アフタークーリングの電源として蓄電池を用いる場合、当然ながらその蓄電池はアフタークーリングを行なう時間、冷却ファンを駆動し続ける電力が充電されていることが必要であり、蓄電池の種類や容量、さらには充放電の回数に制限がある蓄電池の消耗度によっては、アフタークーリングが完了する以前に供給すべき電力がなくなってしまう可能性が十分にある。。
【０００６】
また、上記アフタークーリングに限らず、例えば投影レンズ系中のズームレンズやフォーカスレンズが電動で調整可能な場合や、装置の脚部長が電動で調整可能な場合など、プロジェクタ装置を収納するのに際しては他にも電源を供給して動作させなくてはならない部分が多々あるため、装置の収納状態を整える前に電源プラグが引き抜かれてしまうと何かと不都合を生じ、好ましくないことが多い。
【０００７】
本発明は上記のような実情に鑑みてなされたもので、その目的とするところは、蓄電池の搭載等による装置の大型化を招くことなく、一旦電源の供給が絶たれた状態でも各部の冷却や収納等の後処理を確実に実行させることが可能な電子装置及び電子装置の制御方法を提供することにある。
【課題を解決するための手段】
【０００８】
請求項１記載の発明は、装置の使用によって発熱する発熱部材と、装置の電源供給時に上記発熱部材を冷却する冷却手段と、上記発熱部材に近接して設けられ、該発熱部材からの熱エネルギーを電気エネルギーに変換する熱電変換素子と、装置の電源非供給時に上記熱電変換素子の発生する電力により電源供給を促す報知を実行する報知手段とを具備したことを特徴とする。
【０００９】
請求項２記載の発明は、上記請求項１記載の発明において、装置の電源非供給時に上記発熱部材への上記冷却手段による冷却が必要か否かを判断する判断手段と、この判断手段で上記冷却手段による発熱部材の冷却が必要ではないと判断した場合には上記報知手段による報知を停止させる制御手段とをさらに具備したことを特徴とする。
【００１０】
請求項３記載の発明は、装置の使用によって発熱する発熱部材と、上記発熱部材に近接して設けられ、該発熱部材からの熱エネルギーを電気エネルギーに変換する熱電変換素子と、供給される電力によりリセット位置から状態を変化させる電動部材と、装置の電源非供給時に上記熱電変換素子の発生する電力により上記電動部材をリセット位置に復帰させる電源制御手段とを具備したことを特徴とする。
【００１１】
請求項４記載の発明は、上記請求項３記載の発明において、ユーザの手動操作によりリセット位置から状態を変化させる手動部材と、装置の電源非供給時に上記熱電変換素子の発生する電力により上記手動部材のリセット位置への復帰の手動操作を促す報知を実行する報知手段とをさらに具備したことを特徴とする。
【００１２】
請求項５記載の発明は、上記請求項１または３記載の発明において、上記熱電変換素子の上記発熱部材側に設けられ、該発熱部材の発生する熱エネルギーを蓄えて上記熱電変換素子に伝達し続ける蓄熱部材をさらに具備したことを特徴とする。
【００１３】
請求項６記載の発明は、上記請求項１または３記載の発明において、上記熱電変換素子は、上記発熱部材を覆う装置内筐体の少なくとも上面を形成することを特徴とする。
【００１４】
請求項７記載の発明は、上記請求項６記載の発明において、上記熱電変換素子は、上記装置内筐体の外面側を放熱面として放熱フィンを形成したことを特徴とする。
【００１５】
請求項８記載の発明は、装置の使用によって発熱する発熱部材と、この発熱部材を冷却するべく設けられた冷却手段とを備えた電子装置の制御方法であって、上記発熱部材に近接して該発熱部材からの熱エネルギーを電気エネルギーに変換する熱電変換素子を設け、装置の電源非供給時に上記熱電変換素子の発生する電力により電源供給を促す報知を実行することを特徴とする。
【００１６】
請求項９記載の発明は、装置の使用によって発熱する発熱部材と、供給される電力によりリセット位置から状態を変化させる電動部材とを備えた電子装置の制御方法であって、上記発熱部材に近接して該発熱部材からの熱エネルギーを電気エネルギーに変換する熱電変換素子を設け、装置の電源非供給時に上記熱電変換素子の発生する電力により上記電動部材をリセット状態に変化させることを特徴とする。
【発明の効果】
【００１７】
請求項１記載の発明によれば、蓄電池の搭載等による装置の大型化を招くことなく、一旦電源の供給が絶たれた状態でも再度電源を供給して発熱部材の冷却を継続させることが可能となる。
【００１８】
請求項２記載の発明によれば、上記請求項１記載の発明の効果に加えて、不必要に再度の電源供給を促してユーザに煩雑な思いをさせてしまうのを未然に回避できる。
【００１９】
請求項３記載の発明によれば、蓄電池の搭載等による装置の大型化を招くことなく、一旦電源の供給が絶たれた状態でも電動部材のリセット位置までの復帰を確実に実行させることができる。
【００２０】
請求項４記載の発明によれば、上記請求項３記載の発明の効果に加えて、手動部材のリセット位置への復帰を忘れずに実行させることができる。
【００２１】
請求項５記載の発明によれば、上記請求項１または３記載の発明の効果に加えて、熱電変換の効率を高めてより安定した状態を維持し、動作を確実に実行させることができる。
【００２２】
請求項６記載の発明によれば、上記請求項１または３記載の発明の効果に加えて、発熱部材を覆う装置内筐体の少なくとも上面を熱電変換素子で形成することにより、装置内の他の部位への熱の影響を抑えながら効率的に発熱部材からの熱を電気に変換して必要な動作を確実に実行させることができる。
【００２３】
請求項７記載の発明によれば、上記請求項６記載の発明の効果に加えて、熱電変換素子で形成する上記装置内筐体の外面側の放熱効率を上げ、より多くの電力を発生して必要な動作を確実に実行させることができる。
【００２４】
請求項８記載の発明によれば、蓄電池の搭載等による装置の大型化を招くことなく、一旦電源の供給が絶たれた状態でも再度電源を供給して発熱部材の冷却を継続させることが可能となる。
【００２５】
請求項９記載の発明によれば、蓄電池の搭載等による装置の大型化を招くことなく、一旦電源の供給が絶たれた状態でも電動部材のリセット位置までの復帰を確実に実行させることができる。
【発明を実施するための最良の形態】
【００２６】
以下本発明をプロジェクタ装置に適用した場合の実施の一形態について図面を参照して説明する。
【００２７】
図１はこのプロジェクタ装置の使用状態での外観斜視図、図２は上記プロジェクタ装置の横断平面図、図３は図２のIII−III線に沿った縦断面図である。
【００２８】
このプロジェクタ装置は、平面形状が矩形状をなすプロジェクタケース１内に、光源装置１７と、複数の画素が行方向及び列方向にマトリックス状に配列した表示エリアを有し、上記複数の画素に入射した光の出射を制御して画像を表示する表示素子２８と、上記光源装置１７からの出射光を上記表示素子２８に入射させる光源側光学系２９と、上記表示素子２８からの出射光を図示しないスクリーン等の投影面に投影する投影レンズ４５とを配置したものである。
【００２９】
上記プロジェクタケース１は、その両側面及び後面と底面とを構成するケース本体１ａと、上面パネル１ｂと、前面パネル１ｃとからなっており、その後面に、パソコン用のＵＳＢ端子及びカラー画像信号と音声信号の入力端子と、ビデオ信号入力端子と、電源コネクタ（いずれも図示せず）が設けられ、上面に、電源キー２と、上記光源装置１７の点灯を表示するランプインジケータ３及び上記光源装置１７の過熱を表示する過熱インジケータ４と、自動画質調整キー５及び手動画質調整キー６と、上記電源コネクタをＡＣ電源に接続したスタンバイ状態と上記電源キー２をオンさせたときとで表示色が変化するパワー／スタンバイインジケータ７と、開閉蓋８を開いて操作される各種調整キー（図示せず）と、スピーカ用放音部９と、バックライト付きの液晶表示パネルで構成される表示部１６とが設けられ、前面に、図示しないリモコン器からの赤外線信号を受けるリモコン受信部１０が設けられている。
【００３０】
また、上記プロジェクタケース１の前面の一側部には、開閉可能な投影レンズカバー１２を備えた投影口１１が設けられている。なお、上記投影レンズカバー１２の中央部には開口が形成されており、その開口に例えば赤色の半透明板１３が設けられている。
【００３１】
さらに、上記プロジェクタケース１の底面には、その後側領域の両側部に配置された左右一対の後足部材１４ａと、前側領域の中央部付近にケース前縁部よりもある程度後方にずらして配置された１つの前足部材１４ｂが設けられている。
【００３２】
この後足部材１４ａ及び前足部材１４ｂは、プロジェクタの使用時（投影時）に、上記プロジェクタケース１を、その前側を高くした斜め上向き状態に支持するものであり、一対の後足部材１４ａは、プロジェクタケース１の底部に螺合された図示しないねじ脚の下端に固定されている。
【００３３】
一方の前足部材１４ｂは、上記プロジェクタケース１内に設けられた後述する電動機構により上下方向に伸縮可能に保持されたロッド脚１５の下端に固定され、ケース底面からの突出高さを調整可能に設けられている。
【００３４】
次に、光源装置１７について説明する。この光源装置１７は、図２及び図３に示すように、光源ランプ１８と、光を出射させる開放面を有し、内部に配置された上記光源ランプ１８からの放射光を反射して上記開放面から出射するリフレクタ２１とを備えている。
【００３５】
上記光源ランプ１８は、中間部に球状の膨らみ部を有するガラスバルブ１９内に、モリブデン等からなる一対の棒状電極２０ａ，２０ｂが、それぞれの先端を上記膨らみ部内において近接対向させ、それぞれの後端部を上記ガラスバルブ１９の両端からガラスバルブ１９外に露出させて設けられ、上記ガラスバルブ１９内に上記電極２０ａ，２０ｂの先端間に発生するアークにより発光する物質が封入された高圧水銀ランプ等のショートアークランプである。
【００３６】
また、上記リフレクタ２１は、その軸線上のリフレクタ内の点と上記開放面の前方の点とにそれぞれ焦点を有する楕円面リフレクタであり、中空の楕円球体をその長軸に対して垂直に切断した形状を有する耐熱ガラス製リフレクタ本体の内面全体に紫外線透過性反射膜２１ａを設けた構成となっている。
【００３７】
そして、上記光源ランプ１８は、その一端側を上記リフレクタ２１内に位置させ、他端側を上記リフレクタ２１の内奥面の中心に設けられた開口部からリフレクタ２１の後側に突出させるとともに、上記ガラスバルブ１９の軸線をリフレクタ２１の軸線に一致させ、且つ上記一対の電極２０ａ，２０ｂの先端間の発光点を上記リフレクタ２１のリフレクタ内側の焦点に一致させて設けられている。
【００３８】
さらに、この光源装置１７は、上記リフレクタ２１の開放面の前側に配置された金属筒または耐熱性樹脂筒からなる筒状の防爆カバー２５を備えている。
【００３９】
この防爆カバー２５は、両端が開放し、且つ一端側から他端側に向かって大径となるテーパー付き円筒体の内周面全体に非反射処理を施したものであり、その一端、つまり大径側端の開放縁は防爆カバー２５の軸線に対して垂直に形成され、他端、つまり小径側端の開放縁は上記軸線に垂直な面に対して一方向に所定角度傾いた傾斜面に形成されている。
【００４０】
そして、この防爆カバー２５は、その一端（大径側端）の周縁部を上記リフレクタ２１の開放面の周縁部にビス止め等の手段により接続して設けられており、この防爆カバー２５の他端部（小径側端部）の内周に、防爆ガラス２４が上記リフレクタ２１からの出射光の光軸、つまりリフレクタ２１の軸線に垂直な面に対して一方向に所定角度斜めに傾けて嵌合されている。
【００４１】
また、上記防爆カバー２５には、上記リフレクタ２１への接続端側の周面の一側部と他側部とに、上記リフレクタ２１の内部空間及び光源ランプ１８を空冷するための通風孔２６，２７が設けられている。
【００４２】
一方、上記表示素子２８（図２参照）は、カラーフィルタのような入射光を着色する手段を備えない表示素子であり、この実施の形態では、一般にＤＭＤと略称されるマイクロミラー表示素子（Ｄｉｇｉｔａｌ  Ｍｉｃｒｏｍｉｒｒｏｒ  Ｄｅｖｉｃｅ）（登録商標）を用いている。以下、この表示素子２８をマイクロミラー表示素子と言う。
【００４３】
上記マイクロミラー表示素子２８は、その構成は図示しないが、１つ１つの画素をそれぞれ、ＣＭＯＳをベースとするミラー駆動素子によって一方の傾き方向と他方の傾き方向とに傾動されるアレイ状に配列されたマイクロミラーにより形成したものであり、これらのマイクロミラーは、縦横の幅が１０［μｍ］〜２０［μｍ］の極薄金属片（例えばアルミニウム片）からなっている。
【００４４】
このマイクロミラー表示素子２８は、その正面方向に対して一方向に傾いた入射方向から所定の角度範囲の入射角で入射した光を、上記複数のマイクロミラーの傾き方向の切換えにより上記正面方向と斜め方向とに反射して画像を表示するものであり、一方の傾き方向に傾動されたマイクロミラーに入射した光をこのマイクロミラーにより正面方向に反射し、他方の傾き方向に傾動されたマイクロミラーに入射した光をこのマイクロミラーにより斜め方向に反射し、正面方向への反射による明表示と、斜め方向への反射による暗表示とにより画像を表示する。
【００４５】
なお、上記明表示の明るさは、上記マイクロミラーを上記一方の傾き方向（入射光を正面方向に反射させる傾き方向）に傾けておく時間幅を制御することによって任意に変化させることができ、したがって、上記マイクロミラー表示素子２８により、明るさに階調をもたせた画像を表示させることができる。
【００４６】
上記マイクロミラー表示素子２８は、上記プロジェクタケース１内の後部領域の一側部に、その正面方向を上記プロジェクタケース１の前面の一側部に設けられた投影口１１に対向させて配置されている。
【００４７】
また、上記光源装置１７からの出射光を上記マイクロミラー表示素子２８に入射させる光源側光学系２９は、図２及び図３に示すように上記光源装置１７からの出射光を赤、緑、青の３色に順次着色するためのカラーホイール３０と、上記光源装置１７からの出射光の強度分布を均一にするための導光ロッド３３と、上記カラーホイール３０により着色され、上記導光ロッド３３により強度分布を均一にされた光を上記マイクロミラー表示素子２８の前面に向けて投射する前後２つの光源側レンズ３４，３５及びミラー３７とからなっている。
【００４８】
上記カラーホイール３０は、扇状の赤、緑、青の３色のカラーフィルタ３１Ｒ，３１Ｇ，３１Ｂが周方向に並べて設けられた回転板からなっており、その中心を上記光源装置１７からの出射光の光路の側方に配置されたカラーホイール回転モータ３２の回転軸に固定され、ホイール周方向の一部を上記光源装置１７からの出射光の光路に介在させて配置されている。
【００４９】
このカラーホイール３０は、上記モータ３２により、上記３色のカラーフィルタ３１Ｒ，３１Ｇ，３１Ｂが上記光源装置１７からの出射光の光路を順次横切るように高速で回転駆動される。
【００５０】
また、上記導光ロッド３３は、上記マイクロミラー表示素子２８の複数の画素がマトリックス状に配列している表示エリアの外形と相似な断面形状を有し、内周面全体に反射膜（図示せず）が設けられた角筒状体からなっており、その一端に光を入射させる入射面が形成され、他端に上記入射面から入射した光の出射面が形成されている。
【００５１】
この導光ロッド３３は、上記入射面から入射した光をロッド内周面の反射膜により反射しながら導いて上記出射面から均一な強度分布の光を出射するものであり、この導光ロッド３３は、上記カラーホイール３０の出射側に、上記入射面を上記カラーホイール３０を介して上記光源装置１７に対向させるとともに、上記光源装置１７のリフレクタ２１の開放面から出射し、上記リフレクタの前側に斜めに傾けて配置された上記防爆ガラス２４を屈折して透過した光を上記入射面から入射させるために、上記防爆ガラス２４を透過した光の光軸、つまり上記リフレクタ２１の開放面からの出射光の光軸（リフレクタ２１の軸線）に対して一方向（防爆ガラス２４での屈折方向）に平行にシフトした光軸Ｏ2 にロッド中心軸を一致させて配置されている。
【００５２】
また、上記光源側レンズ３４，３５は、上記導光ロッド３３の出射側に配置されたレンズ支持筒３６内に、レンズ中心を上記導光ロッド３３の中心軸の延長線、つまり上記光源装置１７からの出射光（防爆ガラス２４を透過して出射した光）の光軸Ｏ2 に一致させて配置されている。
【００５３】
そして、この実施の形態では、上記レンズ支持筒３６の入射側に、上記カラーホイール回転モータ３２の配置部に対応する側部が切欠された筒状の導光ロッド支持部を形成し、この導光ロッド支持部内に上記導光ロッド３３を嵌装している。
【００５４】
なお、上記導光ロッド３３は、上記マイクロミラー表示素子２８の表示エリアと相似な断面形状を有する透明な角棒状体からなり、一端の入射面から入射した光を、ロッド外周面と外気である空気層との界面で全反射しながら導いて他端の出射面から均一な強度分布の光を出射するものでもよく、その場合は、上記レンズ支持筒３６の導光ロッド支持部の内径を大きくし、上記角棒状体からなる導光ロッドを、上記導光ロッド支持部内に、その内周面との間に空間を介在させて配置すればよい。
【００５５】
上記光源装置１７のリフレクタ２１と、上記光源側光学系２９のカラーホイール回転モータ３２と、上記導光ロッド３３と光源側レンズ３４，３５を支持したレンズ支持筒３６は、両端が開放する光源側ハウジング３８内に所定の位置関係で固定されている。
【００５６】
そして、光源側ハウジング３８は、図２及び図３に示すように、上記プロジェクタケース１内の前後方向における中央部から後側の領域に、上記プロジェクタケース１の両側面のうち、上記マイクロミラー表示素子２８の配置側とは反対側の側面に上記光源装置１７の配置側を向け、上記レンズ支持筒３６の出射端を上記マイクロミラー表示素子２８の正面方向の領域に対向させるとともに、上記光源装置１７からの出射光の光軸Ｏ2 を、上記マイクロミラー表示素子２８の正面方向に対して略直交させて設置されている。
【００５７】
また、上記光源側光学系２９のミラー３７は、平面鏡からなっており、このミラー３７は、一側面と後面及び前面に開口４０，４１，４２を有し、上記一側面の開口４０内に上記レンズ支持筒３６の出射端を挿入するとともに後面の開口４１を上記マイクロミラー表示素子２８に対向させて上記プロジェクタケース１内に設置されたミラーハウジング３９内に、上記マイクロミラー表示素子２８の正面方向領域を挟んで上記レンズ支持筒３６の出射端と対向させるとともに、上記光源装置１７からの出射光の光軸Ｏ2 に対して所定角度斜めに傾けて、上記光源装置１７から出射し、上記カラーホイール３０と導光ロッド３３と光源側レンズ３４，３５とを透過した光を上記マイクロミラー表示素子２８に向けて反射し、その反射光を上記マイクロミラー表示素子２８にその正面方向に対して一方の方向に傾いた方向から投射するように配置されている。
【００５８】
一方、上記マイクロミラー表示素子２８の前面には、このマイクロミラー表示素子２８を保護するカバーガラス４３が配置されており、その前面側に、上記ミラーハウジング３９の後面の開口に設けられ、上記光源装置１７から出射し、上記光源側光学系２９によりマイクロミラー表示素子２８にその正面方向に対して一方の方向に傾いた方向から投射された光を上記マイクロミラー表示素子２８の正面方向に対して所定角度傾いた方向に沿う平行光に補正して上記マイクロミラー表示素子２８に入射させ、上記マイクロミラー表示素子２８から出射した画像光を集光させて投影レンズ４５に入射させる中継レンズ４４が配置されている。
【００５９】
この中継レンズ４４は、上記光源側光学系２９からの投射光のうち、中継レンズ面で表面反射した光を、上記投影レンズ４５による投影方向以外の方向に出射する特性を有している。
【００６０】
上記中継レンズ４４は、一方の面が凸面に形成され、他方の面が凹面に形成されたメニスカスレンズからなっており、その凸面を上記マイクロミラー表示素子２８に対向させ、凹面を上記光源側光学系２９及び投影レンズ４５に対向させるとともに、レンズ中心を、上記マイクロミラー表示素子２８の表示エリアの周縁のうち、上記光源側光学系２９からの投射光が入射する方向とは反対側の縁部の中心付近に対向させて配置されている。
【００６１】
そして、この中継レンズ４４の光源側光学系２９及び投影レンズ４５に対向する凹面は、上記光源側光学系２９からの投射光のうち、上記凹面で表面反射した光を、投影レンズ４５による投影方向以外の方向に出射する曲率をもった面に形成され、マイクロミラー表示素子２８に対向する凸面は、上記凹面の曲率に基いて、上記光源側光学系２９からの投射光を上記凹面と凸面とによりマイクロミラー表示素子２８の正面方向に対して所定角度傾いた方向に屈折させて上記マイクロミラー表示素子２８に入射させ、上記マイクロミラー表示素子２８からその正面方向に出射した光を上記凸面と凹面とにより集光方向に屈折させて上記投影レンズ４５に入射させる曲率をもった面に形成されている。
【００６２】
なお、この中継レンズ４４の有効領域は、円形レンズのうちの上記マイクロミラー表示素子２８の表示エリアに対応する部分であり、他の部分は非有効領域であるため、この実施の形態では、円形レンズから上記非有効領域を切り落とした形状の中継レンズ４４を用いている。
【００６３】
また、上記投影レンズ４５は、入射側固定鏡筒４６と、この固定鏡筒４６に係合され、回転操作により軸方向に進退移動される出射側可動鏡筒４７とを備え、これらの鏡筒４６，４７内にそれぞれ複数枚のレンズ素子を組合わせて構成されたレンズ群４８，４９を設けた可変焦点レンズであり、この投影レンズ４５は、その固定鏡筒４６の基端を上記ミラーハウジング３９の前面の開口４２内に挿入し、この固定鏡筒４６の入射端を上記中継レンズ４４を介して上記マイクロミラー表示素子２８に対向させ、上記可動鏡筒４７の出射端をプロジェクタケース１の前面の一側部に設けられた投影口１１に移動可能に嵌装して上記プロジェクタケース１内に配置されている。
【００６４】
なお、この投影レンズ４５の出射側可動鏡筒４７は図示しないモータにより電動駆動されるものであるが、ユーザの手動操作にも対応するものとし、上記プロジェクタケース１の投影レンズ配置側の側面には、上記投影レンズ４５の可動鏡筒４７を手動により回転させて軸方向に移動させ、上記投影レンズ４５の焦点調整を行なうための開口５０が設けられている。
【００６５】
また、上記プロジェクタケース１内には、プロジェクタケース１の後面に設けられた図示しないＵＳＢ端子、カラー画像信号及び音声信号の入力端子、ビデオ信号入力端子等の入出力コネクタ部に接続された表示／音声系回路基板５１が、プロジェクタケース１の後面部と上記光源側ハウジング３８との間に立設状態で配置されており、この回路基板５１に、上記マイクロミラー表示素子２８、上記プロジェクタケース１内の上面部にスピーカ用放音部９に対向させて配置されたスピーカ（図示せず）、上記出射側可動鏡筒４７を電動駆動するモータ（図示せず）、上記前足部材１４ｂを下端に設けたロッド脚１５を伸縮駆動するモータ２２等が接続されている。
【００６６】
さらに、上記プロジェクタケース１内の上記光源側ハウジング３８の前側のスペースには、プロジェクタケース１の後面に設けられた図示しない電源コネクタに接続された電源系回路基板５２が水平に配置されており、この回路基板５２に、上記光源装置１７の光源ランプ１８が、その一対の電極２０ａ，２０ｂの露出部にそれぞれ接続されたリード線５３ａ，５３ｂを介して接続されるとともに、上記カラーホイール回転モータ３２が図示しないリード線を介して接続されている。
【００６７】
なお、上記光源ランプ１８の一対の電極２０ａ，２０ｂのうち、リフレクタ２１内側の電極２０ａの露出部に接続されたリード線５３ａは、上記リフレクタ２１に設けられたリード挿通孔を通してリフレクタ２１外に引き出され、さらに光源側ハウジング３８の端部から引き出されて上記電源系回路基板５２に接続されている。
【００６８】
また、上記プロジェクタケース１内には、その上面部と光源側ハウジング３８及びミラーハウジング３９との間に、プロジェクタ制御回路基板５４が水平に配置されており、この制御回路基板５４に、上記表示／音声系回路基板５１及び電源系回路基板５２と、プロジェクタケース１の上面に設けられたランプインジケータ３及び過熱インジケータ４と、自動画質調整キー５及び手動画質調整キー６と、パワー／スタンバイインジケータ７と、開閉蓋８を開いて操作される各種調整キーと、プロジェクタケース１内にその前面のリモコン受信部１０に対向させて設けられた図示しない受信素子と、上記光源側ハウジング３８内にリフレクタ２１の近傍に位置させて配置された後述する光源温度測定センサが接続されている。
【００６９】
さらに、上記プロジェクタケース１の底面と、上記投影レンズ４５が配置された側の側面と、後面には、それぞれ、プロジェクタケース１内を空冷するための複数の長孔状吸気孔５５，５６，５７が設けられている。
【００７０】
なお、上記光源側ハウジング３８と電源系回路基板５２は、プロジェクタケース１の底面部との間に通風空間を確保して配置されており、ケース底面の複数の吸気孔５５は、上記光源側ハウジング３８及び電源系回路基板５２の下側に設けられている。
【００７１】
また、上記投影レンズ４５は、プロジェクタケース１の側面部との間に通風空間を確保して配置されており、ケース側面の複数の吸気孔５６は、上記ケース側面の投影レンズ焦点調整用開口５０よりも後側の部分の略全域にわたって設けられている。
【００７２】
さらに、上記表示／音声系回路基板５１は、プロジェクタケース１の上面部との間に通風空間を確保して配置されており、ケース後面の複数の吸気孔５７は、上記マイクロミラー表示素子２８の配置部に対応する部分に設けられている。
【００７３】
上記ケース底面の複数の吸気孔５５のうち、上記電源系回路基板５２の下側に設けられた吸気孔（図示せず）と、ケース右側面の吸気孔５６は自然吸気孔、上記ケース底面の光源側ハウジング３８の下側の部分に設けられた吸気孔５５と、ケース後面のマイクロミラー表示素子２８の配置部に対応する部分に設けられた吸気孔５７は強制吸気孔であり、上記プロジェクタケース１内には、上記強制吸気孔５５，５７にそれぞれ対向させて吸気ファン５８，５９が配置されている。
【００７４】
また、上記プロジェクタケース１の光源装置１７が配置された左側の側面には、その略全体にわたって複数の長孔状排気孔６１が設けられている。
【００７５】
なお、上記プロジェクタケース１の光源装置１７が配置された側の側面は、嵌め込みパネル６０により構成されており、この嵌め込みパネル６０の略全域に上記複数の排気孔６１が設けられている。
【００７６】
これらの排気孔６１はいずれも強制排気孔であり、上記プロジェクタケース１内には、上記排気孔６１の形成領域、つまり上記嵌め込みパネル６０の略全域に対応させて、複数台、例えば３台の大風力排気ファン６２，６３，６４が配置されている。
【００７７】
そして、上記吸気ファン５８，５９及び排気ファン６２，６３，６４は、上記電源系回路基板５２に接続されている。
【００７８】
また、上記複数の排気孔６１の孔縁はそれぞれ、排気効率を向上させるとともに、上記大風力排気ファン６２，６３，６３による強制排気流の風切り音を低減するために、排気流方向に対して垂直またはそれに近い角度の面の無い形状、つまり排気流に渦を生じさせにくい形状に形成されている。
【００７９】
この実施の形態では、隣り合う排気孔間の部分の断面形状を略菱形形状にすることにより、複数の排気孔６１の孔縁をそれぞれ、その縁幅（嵌め込みパネル６０の板厚）の中央部からケース内面及び外面に向かって孔幅が大きくなる方向に傾斜させた形状にしている。
【００８０】
加えて、上記プロジェクタケース１の上面パネル１ｂ下面には、上記プロジェクタ制御回路基板５４と平行にして水平に延在した複数の放熱フィン６６が直接配設される。これら放熱フィン６６は、上記上記吸気ファン５８，５９及び排気ファン６２，６３，６４の回転駆動に伴う冷却風Ｗの流れに沿って、図３中では左右の方向に延在するように複数が同一間隔で並列配置され、上面パネル１ｂを介して（特にプロジェクタ直上部の）外気とプロジェクタ内を流れる冷却風Ｗとの間での熱交換を促進し、該冷却風Ｗを冷却する。
【００８１】
このプロジェクタは、光源装置１７から光を出射させ、光源側光学系２９のカラーホイール３０を高速で回転駆動させることにより、上記光源装置１７から出射して上記光源側光学系２９に入射した光を、上記カラーホイール３０により赤、緑、青の３色に順次着色し、さらに上記導光ロッド３３により強度分布を均一にして、上記光源側レンズ３４，３５及びミラー３７によりマイクロミラー表示素子２８に向けて投射するとともに、上記赤、緑、青の光の投射周期に同期させて上記マイクロミラー表示素子２８に赤、緑、青の単色画像データを順次書込むことにより、上記マイクロミラー表示素子２８に赤、緑、青の単色画像を順次表示させ、上記マイクロミラー表示素子２８から順次出射する赤、緑、青の単色画像光を、投影レンズ４５により拡大して投影面に投影するものであり、上記投影面に、赤、緑、青の３色の単色画像が重なって見えるフルカラー画像を表示する。
【００８２】
なお、このプロジェクタは、投影レンズカバー１２を図１のように開いて投影レンズ４５の出射端を露出させ、電源キー２を操作よりオンさせて使用されるものであり、上記電源キー２をオンさせると、上記光源装置１７の光源ランプ１８が点灯し、上記カラーホイール３０が回転駆動されてマイクロミラー表示素子２８に赤、緑、青の光が順次投射され、上記マイクロミラー表示素子２８から順次出射する赤、緑、青の光が投影レンズ４５により投影されるとともに、上記吸気ファン５８，５９及び排気ファン６２，６３，６４が駆動され、プロジェクタケース１内の空冷が開始される。
【００８３】
また、上記投影レンズ４５による投影方向を投影面に合わせるプロジェクタケース１の姿勢調整は、上記赤、緑、青の光を投影レンズ４５により投影させた状態で前足部材１４ｂの突出高さをモータ２２の回転駆動するベルト２３によりロッド脚１５を伸縮させる電動駆動により調整することで行なわれる。
【００８４】
なお、パソコンからの画像信号またはビデオ信号が入力されないときは、上記マイクロミラー表示素子２８の表示エリア全体からフル階調で赤、緑、青の光が順次出射し、その光が投影レンズ４５により投影される。そのため、このときの投影面の投影領域はその全体にわたって白である。
【００８５】
そして、上記画像信号またはビデオ信号が入力されると、上記マイクロミラー表示素子２８に赤、緑、青の単色画像データが順次書込まれ、上記投影面に赤、緑、青の３色の単色画像が順次投影されてフルカラー画像が表示される。
【００８６】
また、画像投影の終了後は、上記画像信号またはビデオ信号の入力を停止し、電源キー２をオフさせて、上記投影レンズカバー１２を手動で閉じればよく、電源キー２をオフさせると、光源装置１７の光源ランプ１８が消灯し、上記カラーホイール３０の回転駆動が停止されるとともに、それからアフタークーリングが完了する一定時間後、または光源温度が一定温度以下になったときに吸気ファン５８，５９及び排気ファン６２，６３，６４の駆動が停止される。
【００８７】
なお、上記画像信号またはビデオ信号の入力を停止して画像投影を終了すると、投影面の投影領域全体が上述したように白になるため、上記電源キー２をオフさせずに投影レンズカバー１２を閉じてしまうことがあり、その場合は、光源ランプ１８の点灯と、カラーホイール３０と吸気ファン５８，５９及び排気ファン６２，６３，６４の駆動が継続されて無駄に電力を消費してしまう。
【００８８】
しかし、このプロジェクタでは、上記投影レンズカバー１２の中央部に開口を形成し、その開口に半透明板１３を設けているため、電源キー２をオフさせずに投影レンズカバー１２を閉じてしまったときは、上記半透明板１３が投影レンズ４５からの出射光を受けて光って見える。そのため、使用者に電源の切り忘れを気付かせることができる。
【００８９】
図４（Ａ）は、上記光源側ハウジング３８のみを取り出して単体の外観構成を例示するものであり、図中の右手前側の下側がオープンとなった開口に上記光源側光学系２９が配置され、吸気ファン５９，６０によりプロジェクタケース１内に吸気された冷却風は、この光源側光学系２９が位置する図中の右手前側の開口から導入され、図示しない左奥側の開口より導出された後、上記排気ファン６２，６３，６４により嵌め込みパネル６０の複数の排気孔６１を通ってプロジェクタケース１外に排出される。
【００９０】
この光源側ハウジング３８の上記光源装置１７に対応する部分より下流側の上面及び両側面の計３面を、外面側に放熱フィン７１を設けた多数の熱電モジュール７２を敷設してなる熱電モジュール部７０として、ボックス状の光源側ハウジング３８を一体に形成するものとする。
【００９１】
この熱電モジュール部７０を構成する個々の熱電モジュール７２は、図４（Ｂ）に示す如く放熱フィン７１を設けていない面側に光源装置１７から矢印ＩＶで示す熱が与えられ、放熱フィン７１を設けた面側で放熱フィン７１によって放熱がなされて、その表裏で温度差を生じることにより、内部に封入されている２種類の半導体素子間で熱の移動に伴って起電するもので、現状でも例えば１平方センチメートル当たり１Ｗ程度の起電力を有するものが実用化されている。
【００９２】
この光源側ハウジング３８では、放熱フィン７１を設けた低温側が外面側、光源装置１７を収納してその発熱を受ける高温側が内面側となるように、多数の熱電モジュール７２を敷設し、相互に電気的に接続して上面及び両側面の計３面からなる熱電モジュール部７０を構成するようにしたもので、この熱電モジュール部７０以外の上記光源側光学系２９を収納する下側がオープンとなったカバー状の部位、及び熱電モジュール部７０の底面側を例えば耐熱性硬化プラスチックで構成するものとして、熱電モジュール部７０を含む光源側ハウジング３８全体を一体に構成している。
【００９３】
なお、熱電モジュール部７０の外面側に設けられた上記放熱フィン７１は、上記図２及び図３で示した吸気孔５５，５６，５７から排気ファン６２，６３，６４に至る破線の矢印Ｗの流れに沿った方向に形成され、熱電モジュール部７０の外面側での放熱効率を高めるものとしている。
【００９４】
この光源側ハウジング３８の熱電モジュール部７０で光源装置１７の発熱により得られる電力はリード線７３ａ，７３ｂを介して接続された電源系回路基板５２に供給され、必要に応じて上記吸気ファン５８，５９、排気ファン６２，６３，６４の駆動等に使用される。
【００９５】
なお、上記図２、図３及び図４で示した光源側ハウジング３８とその上部の構造については、他に図５に示すような構造とすることも考えられる。
【００９６】
すなわちこの図５は、上記光源側ハウジング３８上部の他の構造例を示す縦断面図であり、その他の部位は上記図３と基本的に同様であるため、その説明は省略する。
【００９７】
しかして、光源側ハウジング３８の上記光源装置１７の上面を高温部用熱交換素子９１で構成する。この高温部用熱交換素子９１としては、熱伝導率の高い金属、例えば銅板やアルミニウム、あるいは専用デバイスであるヒートレーン等が適する。
【００９８】
この高温部用熱交換素子９１の最上部で上記上面パネル１ｂと平行となった水平面に複数の熱電モジュール７２を敷設する。さらに、これら熱電モジュール７２の高温部用熱交換素子９１を介して光源装置１７に面した下面側とは反対側、すなわち上面側は、上記プロジェクタケース１の上面パネル１ｂの下面全面に貼設された低温部用熱交換素子９３に当接されるものとする。
【００９９】
この低温部用熱交換素子９３も、上記高温部用熱交換素子９１と同様に、熱伝導率の高い金属、例えば銅板やアルミニウム、あるいは専用デバイスであるヒートレーン等が適するものであり、この低温部用熱交換素子９３の熱電モジュール７２と当接された部位を除く下面側全面は面状の断熱素子９４で被覆されるものとし、さらにこの断熱素子９４と上記光源側ハウジング３８の上記高温部用熱交換素子９１を含む上部空間を包囲するようにしてさらなる、断熱素子９５を配設する。
【０１００】
そして、この高温部用熱交換素子９１と断熱素子９５、熱電モジュール７２及び光源側ハウジング３８で形成される空間内を充填するような形状の蓄熱素子９２を配する。この蓄熱素子９２としては、例えば比較的熱伝導率の低い金属である鉄やチタン、あるいは非金属である、固体のマグネシアと液体の硝酸ナトリウム／亜硝酸ナトリウム／硝酸カリウムの溶融塩などが好適となる。
【０１０１】
しかるにこの蓄熱素子９２が、光源装置１７の発熱を高い熱伝導率の高温部用熱交換素子９１より蓄積し、主に高温部用熱交換素子９１が当接されている上記熱電モジュール７２の下面を加熱し続けることにより、熱電モジュール７２が長い時間に渡って電力を発生して上記電源系回路基板５２に供給することとなる。
【０１０２】
この際、蓄熱素子９２は断熱素子９５によりその外部を流れる冷却風Ｗから熱的に守られるため、蓄熱したエネルギーを拡散させてしまうことがなく、効率的に高温部用熱交換素子９１を介して熱電モジュール７２を加熱し続ける。
【０１０３】
一方で、熱電モジュール７２の上面はこれも断熱素子９４によってこのプロジェクタケース１内とは熱的に遮断された状態で低温部用熱交換素子９３、プロジェクタケース１の上面パネル１ｂを介して外気温により冷却されることとなる。
【０１０４】
そのため、各熱電モジュール７２は、下面が加熱、上面が冷却されることとなり、上記図２及び図３で示した構造に比してその両面により大きな温度差を生じることとなり、併せて上記蓄熱素子９２と断熱素子９５とによって下面が加熱される時間がより長く維持されるため、より多くの電力を長時間に渡って発生し続けることができるようになる。
【０１０５】
このように、光源側ハウジング３８の光源装置１７の上部に高温部用熱交換素子９１を介して複数の熱電モジュール７２を敷設し、断熱素子９５で覆った蓄熱素子９２を用いて熱電モジュール７２の下面側をより多く、且つ長く加熱する一方で、これら当該熱電モジュール７２の上面を断熱素子９４で熱的に遮断した低温部用熱交換素子９３とプロジェクタケース１の上面パネル１ｂを介して外気温により冷却するものとしたので、熱電モジュール７２に大きな温度差を長時間安定した状態で与え、熱電モジュール７２での発電をより有効に活用することができる。
【０１０６】
次いで図６及び図７を用いて上記プロジェクタ装置の主となる電子回路の機能構成について説明する。  
図中、入出力コネクタ部１０１より入力されたＲＧＢビデオ信号を含む各種規格の画像信号が、入出力インタフェース（Ｉ／Ｆ）１０２、システムバスＳＢを介して画像変換部１０３で所定のフォーマットの画像信号に統一された後に、投影エンコーダ１０４へ送られる。
【０１０７】
投影エンコーダ１０４は、送られてきた画像信号をビデオＲＡＭ１０５に展開記憶させた上でこのビデオＲＡＭ１０５の記憶内容からビデオ信号を生成して投影駆動部１０６に出力する。
【０１０８】
この投影駆動部１０６は、送られてきた画像信号に対応して適宜フレームレート、例えば例えば６０［フレーム／秒］と色成分の分割数、及び表示階調数を乗算した、より高速な時分割駆動で上記マイクロミラー表示素子２８を表示駆動する。
【０１０９】
このマイクロミラー表示素子２８に対して、リフレクタ２１内に配置された光源ランプ１８が出射する高輝度の白色光を、上記カラーホイール３０を介して適宜原色に着色し、上記導光ロッド３３、ミラー３７等を介して照射することで、その反射光で光像が形成され、上記投影レンズ４５等を介してここでは図示しないスクリーンに投影表示される。
【０１１０】
しかるに、光源ランプ１８の点灯駆動、投影レンズ４５を進退駆動するレンズモータ（Ｍ）１０７、カラーホイール３０を回転駆動するモータ（Ｍ）３２はいずれも投影光処理部１０８からの供給電圧に基づいて動作する。
【０１１１】
この投影光処理部１０８はまた、リフレクタ２１の光源ランプ１８近傍に取り付けられた光源温度測定センサ１０９からの検知信号を受け、これをデジタル化して制御部１１０へ出力する。
【０１１２】
上記各回路のすべての動作制御を司るのが制御部１１０である。この制御部１１０は、ＣＰＵと、後述する投影動作、電源制御動作の処理を含む該ＣＰＵで実行される動作プログラムを記憶した不揮発性メモリ、及びワークメモリ等により構成される。
【０１１３】
この制御部１１０にはまた、システムバスＳＢを介してインジケータ部１１１、上記表示部１６、脚駆動部１１２、音声処理部１１３、及び図７に示す電源制御回路１１４が接続される。
【０１１４】
インジケータ部１１１は、上記上面パネル１ｂに配設されたランプインジケータ３、過熱インジケータ４、及びパワー／スタンバイインジケータ７でなり、それらを点灯／点滅する。
【０１１５】
脚駆動部１１２は、上記前足部材１４ｂを下端に設けたロッド脚１５を伸縮駆動するモータ２２とその駆動回路とでなる。
【０１１６】
音声処理部１１３は、ＰＣＭ音源等の音源回路を備え、投影動作時に与えられる音声データをアナログ化し、上記ケース本体１ａのスピーカ用放音部９に設けられたスピーカ１１５を駆動して拡声放音し、あるいは必要によりビープ音を発生させる。
【０１１７】
なお、このプロジェクタ装置に備えられる上記開閉蓋８を開いての各種調整キー及び上記電源キー２、自動画質調整キー５、手動画質調整キー６でキースイッチ部１１６を構成するものであり、このキースイッチ部１１６と、Ｉｒ受信部１１７からの信号が直接制御部１１０へ入力される。
【０１１８】
このＩｒ受信部１１７は、このプロジェクタ装置の前面に設けられた上記リモコン受信部１０、及び背面にリモコン受信部１０と同様に設けられる図示しないリモコン受信部からなり、その赤外光受信信号をコード信号化して上記制御部１１０に送出する。
【０１１９】
上記電源制御回路１１４は、上記電源系回路基板５２にあってシステムバスＳＢを介して上記制御部１１０と制御信号の送受を行なうことにより、以下に示す電源系の回路の動作制御を実行する。
【０１２０】
しかして、電源系回路基板５２において、上記熱電モジュール部７０で発生した電力は電圧安定化回路１２１に供給される。この電圧安定化回路１２１は、例えばＤＣ−ＤＣコンバータで構成され、不安定な直流電源である熱電モジュール部７０からの電力を所定の直流電圧値に変換して電力加算回路１２２に送出する。
【０１２１】
この電力加算回路１２２にはまた、このプロジェクタ装置のＡＣ／ＤＣ変換電源回路１２３から電源オン時にＡＣ電源より生成された所定の電圧値が印加されており、電力加算回路１２２はこれら２つの供給電力を加算し、電源制御回路１１４の制御に基づいて上記図６の各回路及び冷却ファン１３０（５８，５９，６２〜６４）に供給する。
【０１２２】
上記ＡＣ／ＤＣ変換電源回路１２３の出力の一部は、電圧検出回路１２４にも供給される。この電圧検出回路１２４は、ＡＣ／ＤＣ変換電源回路１２３からの供給電圧を検出することで、その時点でのＡＣ電源の接続の有無を検知し、その検知結果を電源制御回路１１４へ出力する。
【０１２３】
次に上記実施の形態の動作について説明する。  
図８は、制御部１１０とこの制御部１１０の制御の下に電源制御回路１１４が実行する、ＡＣ電源切断時の動作を示すものである。
【０１２４】
その当初、ＡＣ電源が切断されたか否かを電圧検出回路１２４の検知出力により電源制御回路１１４が判断する、という処理を繰返し実行することで、ＡＣ電源の切断を待機する（ステップＳ０１）。
【０１２５】
しかして、ＡＣ電源が切断された時点で電源制御回路１１４がこれをステップＳ０１で判断し、制御部１１０に通知する。
【０１２６】
これを受けた制御部１１０は、その時点での光源ランプ１８の温度をリフレクタ２１の光源ランプ１８近傍に取り付けられた光源温度測定センサ１０９からの出力により投影光処理部１０８を介して取得し、その温度値が、冷却ファン１３０によるさらなる冷却が必要な一定の温度以上であるか否かを判断する（ステップＳ０２）。
【０１２７】
ここで、光源ランプ１８の温度が一定値を超えて高く、さらなる冷却が必要であると判断した場合に制御部１１０は、当然ながらその温度により熱電モジュール部７０でもある程度の電力量の発電がなされているものとして、電源制御回路１１４により電力加算回路１２２を介して冷却ファン１３０を強制的に回転駆動して冷却風Ｗを発生させ、光源ランプ１８の冷却を実行させる（ステップＳ０３）。
【０１２８】
これと併せて制御部１１０は、インジケータ部１１１の過熱インジケータ４を高速で点滅表示させる一方で（ステップＳ０４）、表示部１６でＡＣ電源の接続を促す第１のガイドメッセージを表示させながら（ステップＳ０５）、上記ステップＳ０１からの処理に戻る。。
【０１２９】
図９（Ａ）は、このとき表示部１６で表示される第１のガイドメッセージを例示するものであり、ここでは  
「警告：電源ＯＦＦの準備ができていません  
電源ケーブルをもう一度  
コンセントに入れて下さい」  
のように表示することで、このプロジェクタ装置のユーザにＡＣ電源を再度供給することを促す。
【０１３０】
こうして熱電モジュール部７０で発生する電力を利用して、光源ランプ１８を冷却ファン１３０の送風により冷却させながら、併せてユーザに再度のＡＣ電源の供給を促すことで、高価な光源ランプ１８の寿命を縮めてしまうことをできる限り回避する。
【０１３１】
また、上記ステップＳ０２で光源ランプ１８の温度が一定値を超えるほど高くはなく、さらなる冷却が必要ではない程度にすでに充分冷えていると判断した場合に制御部１１０は、このプロジェクタ装置の電動部材である投影レンズ４５を投影光処理部１０８を介してレンズモータ１０７により、ロッド脚１５を脚駆動部１１２を介してモータ２２により、それぞれ収納状態まで縮小させる一方で（ステップＳ０６）、表示部１６で手動部材の収納を促す第２のガイドメッセージを表示させながら（ステップＳ０７）、上記ステップＳ０１からの処理に戻る。。
【０１３２】
図９（Ｂ）は、このとき表示部１６で表示される第２のガイドメッセージを例示するものであり、ここでは  
「・レンズカバーを閉じて下さい  
・ケーブル類を取り外して下さい  
・本体が十分に冷えてから収納して下さい」  
のように表示することで、このプロジェクタ装置のユーザに手動部材の収納を促す。
【０１３３】
こうして熱電モジュール部７０で発生する電力を利用して、電動部材を自動的に収納する一方で、手動部材の収納を促すことで、このプロジェクタ装置のユーザに収納に必要な具体的な内容を提示することができる。
【０１３４】
このように、装置の使用によって非常な高温となる光源ランプ１８に対し、光源側ハウジング３８に熱電モジュール部７０を設けてその発電動作で得られる電力を冷却ファン１３０による冷却と表示部１６でのＡＣ電源の接続を促す報知に利用するものとしたので、蓄電池の搭載等による装置の大型化を招くことなく、一旦電源の供給が絶たれた状態でも再度ＡＣ電源を供給して光源ランプ１８の冷却を継続させることが可能となる。
【０１３５】
加えて、冷却ファン１３０による光源ランプ１８の冷却が必要か否かを判断し、冷却が必要ではないと判断した場合には、あえてＡＣで家の接続を促す報知を停止させるものとしたので、不必要に再度の電源供給を促してユーザに煩雑な思いをさせてしまうのを未然に回避できる。
【０１３６】
この場合、熱電モジュール部７０で発生される電力により発熱部材である光源ランプ１８以外の電動部材を収納状態であるリセット位置まで動作させ、併せて他の手動部材のリセット位置への復帰の手動操作を促す表示を行なうものとしたので、熱電モジュール部７０で発生される電力を有効に活用して、ユーザの使い勝手をより向上できる。
【０１３７】
なお、上記実施の形態は、本発明をプロジェクタ装置に適用した場合について説明したものであるが、本発明はこれに限るものではなく、電源の供給を絶った後も冷却が必要であったり、使用後は冷却したほうが好ましい発熱部材を有するような機器、例えば電気アイロンやガステーブルのように使用後に速やかに冷却したほうが安全な機器に適用したり、またはターボチャージャー付きの内燃式エンジンを動力源とする自動車用の制御装置で、電源（イグニッション）スイッチを切った後もターボチャージャーの排気側タービンの焼き付きを防ぐべく、その発熱により発電して電磁オイルポンプを作動させ、該タービンにオイルを潤滑させるなど、適用例は多々考えることができる。
【０１３８】
その他、本発明は上記実施の形態に限らず、その要旨を逸脱しない範囲内で種々変形して実施することが可能であるものとする。
【０１３９】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１４０】
【図１】本発明の実施の一形態に係るプロジェクタ装置の外観構成を示す斜視図。
【図２】同実施の形態に係るプロジェクタ装置の横断平面図。
【図３】同実施の形態に係る図２のIII−III線に沿ったプロジェクタ装置の縦断面図。
【図４】同実施の形態に係る光源側ハウジング単体の構成を示す斜視図。
【図５】同実施の形態に係る光源側ハウジングの他の構造例を示すプロジェクタ装置の縦断面図。
【図６】同実施の形態に係る電子回路の機能構成を示すブロック図。
【図７】同実施の形態に係る電子回路の機能構成を示すブロック図
【図８】同実施の形態に係るＡＣ電源切断時の動作処理内容を示すフローチャート。
【図９】同実施の形態に係るＡＣ電源切断時の表示部画面を例示する図。
【符号の説明】
【０１４１】
１５…ロッド脚、１６…表示部、１７…光源装置、１８…光源ランプ、１９…ガラスバルブ、２１…リフレクタ、２２…モータ、２４…防爆ガラス、２５…防爆カバー、２８…マイクロミラー表示素子、２９…光源側光学系、３０…カラーホイール、３３…導光ロッド、３４，３５…光源側レンズ、３７…ミラー、３８…光源側ハウジング、４３…カバーガラス、４４…中継レンズ、４５…投影レンズ、５２…電源系回路基板、５８，５９，６２〜６４…冷却ファン、７０…熱電モジュール部、７１…放熱フィン、７２…熱電モジュール、９１…高温部用熱交換素子、９２…蓄熱素子、９３…低温部用熱交換素子、９４…断熱素子、９５…断熱素子、１１０…制御部、１１４…電源制御回路、１３０…冷却ファン。
【図１】
2006235075.tif 000003
【図２】
2006235075.tif 000004
【図３】
2006235075.tif 000005
【図４】
2006235075.tif 000006
【図５】
2006235075.tif 000007
【図６】
2006235075.tif 000008
【図７】
2006235075.tif 000009
【図８】
2006235075.tif 000010
【図９】
2006235075.tif 000011